(57)【要約】      （修正有）【課題】傘の柄軸を体前方で把持した場合であっても、体の後側についても雨に濡れにくくする。【解決手段】下端部に把持部が設けられた柄軸１と、該柄軸１の上端部に回動自在に一端部が接続された複数の親傘骨２と、該親傘骨２に張られた傘布５とを備える傘である。複数の親傘骨２のうち後方に位置する３本の親傘骨２において、支傘骨４が回動自在に接続されており、それら支傘骨４間においても傘布５が張られている。【選択図】図２
0003129936.tif 000002
【実用新案登録請求の範囲】
【請求項１】
下端部に把持部が設けられた柄軸と、該柄軸の上端部に回動自在に一端部が接続された複数の傘骨と、該傘骨に張られた傘布とを備える傘であって、
前記複数の傘骨のうち少なくとも後方に位置する傘骨が他の傘骨よりも長く形成され、その長くなった部分にも傘布が張られていることを特徴とする傘。
【請求項２】
前記傘骨は、複数の同一長さの親傘骨と、少なくとも後方に位置する親傘骨の末端部に回動自在に接続された複数の支傘骨とからなり、それら支傘骨にも傘布が張られている請求項１に記載の傘。
【請求項３】
前記支傘骨は、傘の後方に位置する３本の親傘骨に設けられている請求項２に記載の傘。
【請求項４】
前記支傘骨は、さらに傘の両側に位置する２本の親傘骨にも設けられている請求項３に記載の傘。
【考案の詳細な説明】
【技術分野】
【０００１】
本発明は、体の後側についても雨に濡れにくくする傘に関するものである。
【背景技術】
【０００２】
従来、一般的な傘は、下端部に把持部が設けられた柄軸と、該柄軸の上端部に回動自在に一端部が接続された複数の傘骨と、該傘骨に張られた傘布とを備えるものであった。
【０００３】
この傘の使用に際しては、柄軸を持ちながら親傘骨を手動又は自動で径方向に展開することにより円形状に傘布を開くものであった。これにより頭上に傘布が来るように柄軸の把持部を持てば、雨に濡れることをなるべく防ぐことができる。
【考案の開示】
【考案が解決しようとする課題】
【０００４】
しかしながら、従来の傘は展開時に単に円形に広がるだけであるため、傘の柄軸を体前方で把持すると、体の後方に位置する傘布が不足して、体の後側（特に腰から足下にかけて）が濡れやすいという問題があった。
【０００５】
本考案は、上記問題に鑑みてなされたものであって、傘の柄軸を体前方で把持した場合であっても、体の後側についても雨に濡れにくくすることを課題とする。
【課題を解決するための手段】
【０００６】
本考案は、上記課題を解決するために、下端部に把持部が設けられた柄軸と、該柄軸の上端部に回動自在に一端部が接続された複数の傘骨と、該傘骨に張られた傘布とを備える傘であって、前記複数の傘骨のうち少なくとも後方に位置する傘骨が他の傘骨よりも長く形成され、その長くなった部分にも傘布が張られていることを特徴とする。
【０００７】
これによれば、傘の後方に位置する傘布が長くなるので、特に腰から足下にかけての体の後側についても雨に濡れにくくすることができる。
【０００８】
また、前記傘骨は、複数の同一長さの親傘骨と、少なくとも後方に位置する親傘骨の末端部に回動自在に接続された複数の支傘骨とからなり、それら支傘骨にも傘布が張られているのが好ましい。
【０００９】
これによれば、傘骨が長くなった分を折り畳むことができ、収納および携帯にも便利になる。なお、折り畳みの構造については従来の折畳式傘と同様の構造でよい。
【００１０】
また、前記支傘骨は、傘の後方に位置する３本の親傘骨に設けられているのが好ましい。
【００１１】
これによれば、傘の後方全体の傘布が長くなるので、体の後方全体について雨に濡れにくくすることができる。
【００１２】
また、前記支傘骨は、さらに傘の両側に位置する２本の親傘骨にも設けられているのが好ましい。
【００１３】
これによれば、傘の両側からやや前方に位置する傘布も長くなるので、前方の視界を維持しながらも体の両側からやや前方についても雨に濡れにくくすることができる。
【考案の効果】
【００１４】
本考案によれば、傘の後方に位置する傘布が長くなるので、特に腰から足下にかけての体の後側についても雨に濡れにくくすることができる。また、傘骨の長くなった部分を支傘骨として親傘骨と回動自在に接続することにより、骨が長くなった分を折り畳むことができ、収納および携帯にも便利になる。
【考案を実施するための最良の形態】
【００１５】
次に本考案の一実施形態について説明する。
【００１６】
図１は本実施形態に係る傘の平面図、図２は傘の側面図、図３は傘の斜視図であり、いずれも使用時における傘を開いた状態のものである。
【００１７】
この傘は、一本の柄軸（１）と、該柄軸（１）に設けられた８本の親傘骨（２）と、親傘骨の基端部の下側に設けられた８本の補助傘骨（３）と、後方の親傘骨（２）に設けられた３本の支傘骨（４）と、親傘骨（２）および支傘骨（４）に張られた傘布（５）を備えてなる。
【００１８】
前記柄軸（１）は、その末端部において屈曲状の把持部（１ａ）が設けられており、傘の使用時において体の前方側で把持するものとなされている。また、柄軸（１）の上部には軸内に突出可能な係合片が設けられており、傘の使用時には後述の環状部材（３ａ）を軸上をスライドさせて係合させて止めるものとなされている。
【００１９】
前記親傘骨（２）は、前記柄軸（１）の上端部に回動自在に設けられており、使用時には柄軸（１）を中心として展開する一方、収納時には柄軸（１）を中心として閉じられるものとなされている。また、親傘骨（２）間には所定の塩化ビニル等からなる傘布（５）が張られており、使用時において人の頭上を覆うようになっている。
【００２０】
前記補助傘骨（３）は、その一端部が柄軸（１）に挿着された環状部材（３ａ）に回動自在に接続されるとともに、他端部が親傘骨（２）の所定位置（例えば柄軸（１）から１／３の長さ位置）に回動自在に接続され、親傘骨（２）が開いたり又は閉じたりするのを親傘骨（２）の下方から補助するようになっている。
【００２１】
前記支傘骨（４）は、後方の３本の親傘骨（２）の末端部に回動自在に設けられており、支傘骨（４）間にも傘布（５）が張られている。なお、図１における一点鎖線は、従来の傘の場合の傘布（５）の末端ラインを示すものである。
【００２２】
これによれば、使用時において傘を開くと、傘の後方に位置する傘布（５）が長くなるので、特に腰から足下にかけての体の後側についても雨に濡れにくくすることができる。しかも、傘骨の長くなった部分を支傘骨（４）として親傘骨（２）と回動自在に接続することにより、骨が長くなった分を折り畳むことができ、収納および携帯にも便利になる。
【００２３】
なお、柄軸（１）、親傘骨（２）、および補助傘骨（３）は上記構造に限定されるものではなく、従来のあらゆる構造にも適用可能である。
【００２４】
また、本実施形態では、親傘骨（２）を長くした部分を折り畳み可能な支傘骨（４）としたが、親傘骨（２）を単に長く形成するものであってもよい。
【００２５】
また、後方に位置する３本の親傘骨（２）に支傘骨（４）を設けるものとしたが、図４に示すようにさらに両側に位置する２本の親傘骨（２）に支傘骨（４）を設けるものであってもよい。これによれば傘の両側からやや前方に位置する傘布（５）も長くなるので、前方の視界を維持しながらも体の両側およびやや前方についても雨に濡れにくくすることができる。
【図面の簡単な説明】
【００２６】
【図１】本実施形態に係る傘の平面図である。
【図２】図１の傘の側面図である。
【図３】図１の傘の斜視図である。
【図４】他の実施形態に係る傘の平面図である。
【符号の説明】
【００２７】
１・・・柄軸
２・・・親傘骨
３・・・補助傘骨
４・・・支傘骨
５・・・傘布
【図１】
0003129936.tif 000003
【図２】
0003129936.tif 000004
【図３】
0003129936.tif 000005
【図４】
0003129936.tif 000006